(57)【要約】      （修正有）【課題】ハンガーの回転を抑制しつつハンガーの脱落を抑制するハンガー用フック保持具及び物干し装置を提供する。【解決手段】フック保持具９０は、物干し部材２４に着脱可能に固定される固定部９２と、固定部の上側に設けられ、前後方向に貫通し上側に開放された保持溝９６を備える。保持溝の側面９６Ｂの上部は、規制面９６Ｂ２として構成され、規制面は、傾斜面９６Ｂ１の上端から上側へ延出されており、水平方向に沿った基準線ＳＬに対する規制面の傾斜角度Ａ１が、基準線に対する傾斜面の傾斜角度Ａ２よりも大きい。保持溝の傾斜面に沿って上昇するハンガーのフックＨＫが傾斜面よりも上側へ変位しようとすると、フックが、傾斜角の大きい規制面に当接し、フックの上方側への変位を抑制できる。その結果、ハンガーが保持溝内から脱落することを抑制できる。【選択図】図１
0003216154.tif 000002
【実用新案登録請求の範囲】
【請求項１】
物干し装置における物干し部材に着脱可能に固定される固定部と、
前記固定部の上側に設けられ、前後方向に貫通され且つ上側へ開放された溝部を有し、前記溝部に掛けられたハンガーのフックを保持する保持部と、
を備え、
前記溝部の側面が、
前記側面の下部を構成すると共に、正面視で上側へ向かうに従い前記溝部の幅方向外側へ傾斜された左右一対の第１側面と、
前記第１側面の上端から上側へ延出され、前記側面の上部を構成する左右一対の第２側面と、
を含んで構成されているハンガー用フック保持具。
【請求項２】
上下方向における前記第２側面の高さ寸法が、上下方向における前記第１側面の高さ寸法よりも小さく設定されている請求項１に記載のハンガー用フック保持具。
【請求項３】
前記固定部は、
前後方向において前記物干し部材を挟持する前後一対のアーム部と、
前記アーム部の先端部に設けられた差込ガイド部と、
を含んで構成されており、
前記差込ガイド部は、幅方向に延在された円柱状に形成されており、前記差込ガイド部の直径寸法が前記アーム部の先端部における厚み寸法よりも大きく設定されている請求項１または請求項２に記載のハンガー用フック保持具。
【請求項４】
左右方向に延在された第１の物干し部材と、
前記第１の物干し部材よりも下側に配置され、平面視で前後方向に延在する複数の物干しバーを有する下側物干し部と、
前記第１の物干し部材及び前記下側物干し部よりも後側で且つ上下方向において前記第１の物干し部材及び前記下側物干し部の間に配置され、左右方向に延在された第２の物干し部材と、
前記第１の物干し部材及び前記第２の物干し部材に着脱可能に固定された請求項１〜請求項３の何れか１項に記載のハンガー用フック保持具と、
を備えた物干し装置。
【請求項５】
上端部が前記第１の物干し部材として構成された第１フレームと、
上端部が前記第２の物干し部材として構成された第２フレームと、
前記第１フレーム及び前記第２フレームを側面視でＸ字形状に展開可能に連結する連結具と、
を備え、
前記下側物干し部が、前記連結具よりも下側の位置において、前記第２フレームに設けられている請求項４に記載の物干し装置。
【請求項６】
前記第１フレーム及び前記第２フレームは、
左右一対の脚柱と、
一対の前記脚柱の下端部に固定された左右一対の下側固定具と、
一対の前記下側固定具に架け渡された連結柱と、
を含んで構成されており、
前記下側固定具は、
前記脚柱の下端部及び前記連結柱を固定する固定具本体と、
前記固定具本体に回転可能に設けられ、回転操作されることで前記脚柱に圧接して前記下側固定具を前記脚柱に固定するバックルと、
を有している請求項５に記載の物干し装置。
【請求項７】
前記固定具本体には、前記第１フレーム及び前記第２フレームを支持するキャスターが設けられている請求項６に記載の物干し装置。
【考案の詳細な説明】
【技術分野】
【０００１】
本考案は、ハンガー用フック保持具及び物干し装置に関する。
【背景技術】
【０００２】
下記特許文献１に記載の物干し補助具（ハンガー用フック保持具）は、物干し部材が差し込まれる差込口（固定部）と、ハンガーのフックが掛けられる溝部を有するハンガー吊り下げ部（保持部）と、を含んで構成されている。また、ハンガー吊り下げ部の溝部の側面は、一対の傾斜面によって構成されており、一対の傾斜面にハンガーのフックが掛けられる。これにより、平面視で、フック（ハンガー）が回転することを抑制できる。
【０００３】
ところで、物干し方法の一例として、送風機を用いて洗濯物に空気流をあてることで、洗濯物の乾燥時間の一層の短縮化を図ることができる。また、この場合には、送風機によって発生する空気流の流速を比較的速くすることで、洗濯物に対する乾燥効率を上げることができる。
【先行技術文献】
【特許文献】
【０００４】
【特許文献１】特開２０１６−４７１２１号公報
【考案の概要】
【考案が解決しようとする課題】
【０００５】
しかしながら、洗濯物にあてる空気流の流速を速くすると、ハンガーに生じる回転力が大きくなり、洗濯物が振れて、ハンガーのフックが、ハンガー吊り下げ部の溝部の傾斜面に沿って上側へ変位する。このため、ハンガー（フック）が物干し補助具から脱落する虞がある。
【０００６】
本考案は、上記事実を考慮して、ハンガーの回転を抑制しつつハンガーの脱落を抑制することができるハンガー用フック保持具及び物干し装置を提供することを目的とする。
【課題を解決するための手段】
【０００７】
形態１：本考案の１又はそれ以上の実施形態は、物干し装置における物干し部材に着脱可能に固定される固定部と、前記固定部の上側に設けられ、前後方向に貫通され且つ上側へ開放された溝部を有し、前記溝部に掛けられたハンガーのフックを保持する保持部と、を備え、前記溝部の側面が、前記側面の下部を構成すると共に、正面視で上側へ向かうに従い前記溝部の幅方向外側へ傾斜された左右一対の第１側面と、前記第１側面の上端から上側へ延出され、前記側面の上部を構成する左右一対の第２側面と、を含んで構成されているハンガー用フック保持具である。
【０００８】
形態２：本考案の１又はそれ以上の実施形態は、上下方向における前記第２側面の高さ寸法が、上下方向における前記第１側面の高さ寸法よりも小さく設定されているハンガー用フック保持具である。
【０００９】
形態３：本考案の１又はそれ以上の実施形態は、前記固定部は、前後方向において前記物干し部材を挟持する前後一対のアーム部と、前記アーム部の先端部に設けられた差込ガイド部と、を含んで構成されており、前記差込ガイド部は、幅方向に延在された円柱状に形成されており、前記差込ガイド部の直径寸法が前記アーム部の先端部における厚み寸法よりも大きく設定されているハンガー用フック保持具である。
【００１０】
形態４：本考案の１又はそれ以上の実施形態は、左右方向に延在された第１の物干し部材と、前記第１の物干し部材よりも下側に配置され、平面視で前後方向に延在する複数の物干しバーを有する下側物干し部と、前記第１の物干し部材及び前記下側物干し部よりも後側で且つ上下方向において前記第１の物干し部材及び前記下側物干し部の間に配置され、左右方向に延在された第２の物干し部材と、前記第１の物干し部材及び前記第２の物干し部材に着脱可能に固定された上記構成に記載のハンガー用フック保持具と、を備えた物干し装置である。
【００１１】
形態５：本考案の１又はそれ以上の実施形態は、上端部が前記第１の物干し部材として構成された第１フレームと、上端部が前記第２の物干し部材として構成された第２フレームと、前記第１フレーム及び前記第２フレームを側面視でＸ字形状に展開可能に連結する連結具と、を備え、前記下側物干し部が、前記連結具よりも下側の位置において、前記第２フレームに設けられている物干し装置である。
【００１２】
形態６：本考案の１又はそれ以上の実施形態は、前記第１フレーム及び前記第２フレームは、左右一対の脚柱と、一対の前記脚柱の下端部に固定された左右一対の下側固定具と、一対の前記下側固定具に架け渡された連結柱と、を含んで構成されており、前記下側固定具は、前記脚柱の下端部及び前記連結柱を固定する固定具本体と、前記固定具本体に回転可能に設けられ、回転操作されることで前記脚柱に圧接して前記下側固定具を前記脚柱に固定するバックルと、を有している物干し装置である。
【００１３】
形態７：本考案の１又はそれ以上の実施形態は、前記固定具本体には、前記第１フレーム及び前記第２フレームを支持するキャスターが設けられている物干し装置である。
【考案の効果】
【００１４】
本考案の１又はそれ以上の実施形態によれば、ハンガーの回転を抑制しつつハンガーの脱落を抑制することができる。
【図面の簡単な説明】
【００１５】
【図１】（Ａ）は、本実施の形態に係るハンガー用フック保持具を示す平面図であり、（Ｂ）は、ハンガー用フック保持具を示す正面図であり、（Ｃ）は、ハンガー用フック保持具を示す側面図である。
【図２】本実施の形態に係るハンガー用フック保持具が適用された物干し装置の全体を展開状態にて示す斜視図である。
【図３】図２に示される物干し装置の全体を示す側面図である。
【図４】図２に示される上側固定具を示す分解斜視図である。
【図５】図２に示される下側固定具を示す分解斜視図である。
【図６】図２に示される連結具を示す分解斜視図である。
【図７】図２に示される連結具を示す分解斜視図である。
【図８】図３に示される下側物干し部を拡大して示す側面図である。
【図９】図８に示される下側物干し部を下側から見た斜視図である。
【図１０】図１に示されるハンガー用フック保持具を示す斜視図である。
【図１１】図２に示される物干し装置を用いた物干の一例を示す斜視図である。
【図１２】比較例の物干し装置を用いた物干しの一例を示す斜視図である。
【考案を実施するための形態】
【００１６】
以下、図面を用いて、本実施の形態に係るハンガー用フック保持具９０（以下、単に「フック保持具９０」という）が適用された物干し装置１０について説明し、次いで、フック保持具９０について説明する。なお、図面において適宜示される矢印ＵＰ，矢印ＦＲ，矢印ＲＨは、それぞれ物干し装置１０の上側、前側、右側（幅方向一方側）を示している。また、物干し装置１０の上側、前側、右側とフック保持具９０の上側、前側、右側とが、それぞれ一致している。そして、以下の説明において、上下、前後、左右の方向を示して説明するときには、特に断りのない限り、物干し装置１０の上下方向、前後方向、左右方向を示すものとする。
【００１７】
（物干し装置の全体構成について）
図２及び図３に示されるように、物干し装置１０は、主として室内用の物干し装置として構成されている。この物干し装置１０は、略矩形枠状の第１フレーム２０及び第２フレーム５０と、第１フレーム２０及び第２フレーム５０を相対回転可能に連結する左右一対の連結具６０と、を含んで構成されている。そして、物干し装置１０は、第１フレーム２０及び第２フレーム５０を折り畳んだ折畳状態から、側面視でＸ字形状を成す展開状態へ展開可能に構成されている。さらに、物干し装置１０は、下側物干し部７０を有している。以下、物干し装置１０の各構成について説明する。
なお、以下の説明では、便宜上、展開状態の物干し装置１０として説明する。
【００１８】
（第１フレームについて）
図２及び図３に示されるように、第１フレーム２０は、略矩形枠状に形成されている。具体的には、第１フレーム２０は、第１フレーム２０の幅方向両端部を構成する左右一対の「脚柱」としての第１脚柱２２と、第１フレーム２０の上端部を構成する「第１の物干し部材」としての第１物干し柱２４と、第１フレーム２０の下端部を構成する「連結柱」としての第１補強柱２６と、を含んで構成されている。そして、左右一対の第１脚柱２２の上端部と第１物干し柱２４の長手方向両端部とが、左右一対の上側固定具３０によって連結されている。また、左右一対の第１脚柱２２の下端部と第１補強柱２６の長手方向両端部とが、左右一対の下側固定具４０によって連結されている。そして、物干し装置１０の展開状態では、第１フレーム２０が、側面視で、上側へ向かうに従い前側へ傾斜して配置されている。
【００１９】
＜第１脚柱について＞
第１脚柱２２は、中空の円形パイプ状に形成されて、上下に２分割されている。すなわち、第１脚柱２２は、第１脚柱２２の上側部分を構成する第１上側脚柱２２Ｕと、第１脚柱２２の下側部分を構成する第１下側脚柱２２Ｌと、を含んで構成されている。また、第１上側脚柱２２Ｕの長手方向の長さが、第１下側脚柱２２Ｌの長手方向の長さよりも長く設定されている。そして、第１上側脚柱２２Ｕの下端部と第１下側脚柱２２Ｌの上端部とが、後述する連結具６０によって連結されている。
【００２０】
＜上側固定具について＞
左右一対の上側固定具３０は、物干し装置１０の幅方向において左右対称に構成されている。このため、以下、左側の上側固定具３０について説明し、右側の上側固定具３０についての説明は省略する。
【００２１】
図４に示されるように、上側固定具３０は、固定具本体３２と、バックル３４と、を含んで構成されている。
固定具本体３２は、円筒状の第１固定筒部３２Ａを有しており、第１固定筒部３２Ａは、第１脚柱２２（図４では、不図示）と同軸上に配置されている。また、固定具本体３２は、右側（第１フレーム２０の幅方向内側）へ開放された略有底円筒状の第２固定筒部３２Ｂを有しており、第１固定筒部３２Ａの内部と第２固定筒部３２Ｂの内部とが連通された状態で、第１固定筒部３２Ａの上端部が第２固定筒部３２Ｂの長手方向中間部に接続されている。そして、第１固定筒部３２Ａの内部に、第１脚柱２２（第１上側脚柱２２Ｕ）の上端部が下側から挿入されている（図２及び図３参照）。
【００２２】
第１固定筒部３２Ａの外周部には、一対のヒンジ部３２Ｃが一体に形成されている。一対のヒンジ部３２Ｃは、第１固定筒部３２Ａの軸方向に離間して配置されると共に、第１固定筒部３２Ａから右側へ突出されている。また、第１固定筒部３２Ａの外周部には、一対のヒンジ部３２Ｃの間の位置において、連通孔３２Ｄが貫通形成されており、連通孔３２Ｄは、第１固定筒部３２Ａの軸方向を長手方向とする略矩形状に形成されている。
【００２３】
バックル３４は、略矩形板状に形成され、第１固定筒部３２Ａの外側において、第１固定筒部３２Ａの周方向に沿うように湾曲している。このバックル３４の基端側の部分には、支持部３４Ａが形成されており、支持部３４Ａには、支持孔３４Ｂが貫通形成されている。そして、支持部３４Ａが、第１固定筒部３２Ａにおける一対のヒンジ部３２Ｃの間に配置され、一対のヒンジ部３２Ｃに架け渡されたヒンジピン（図示省略）が支持孔３４Ｂ内に挿入されて、支持部３４Ａがヒンジ部３２Ｃに回転可能に支持されている。また、バックル３４の基端部には、圧接部３４Ｃが形成されており、圧接部３４Ｃは、第１固定筒部３２Ａの連通孔３２Ｄから第１固定筒部３２Ａの内部に配置されている。そして、バックル３４を第１固定筒部３２Ａ側へ回転させることで、圧接部３４Ｃが第１脚柱２２の上端部に圧接して、第１脚柱２２が固定具本体３２に固定されている。
【００２４】
＜第１物干し柱について＞
図２及び図３に示されるように、第１物干し柱２４は、左右方向を軸方向とする中空の円形パイプ状に形成されている。そして、第１物干し柱２４の長手方向両端部が、上側固定具３０における第２固定筒部３２Ｂ内に嵌入されている。これにより、第１物干し柱２４が、上側固定具３０によって第１脚柱２２に連結されている。そして、第１物干し柱２４が、洗濯物を物干しする部位として構成されている。
【００２５】
＜下側固定具について＞
左右一対の下側固定具４０は、物干し装置１０の幅方向において左右対称に構成されている。このため、以下、左側の下側固定具４０について説明し、右側の下側固定具４０についての説明は省略する。
【００２６】
図５に示されるように、下側固定具４０は、固定具本体４２と、バックル４４と、を含んで構成されている。
固定具本体４２は、円筒状の第１固定筒部４２Ａを有しており、第１固定筒部４２Ａは、第１脚柱２２（図５では、不図示）と同軸上に配置されている。また、第１固定筒部４２Ａでは、第１固定筒部４２Ａの下部が上下方向に延在するように、第１固定筒部４２Ａの長手方向中間部が、第１フレーム２０の傾斜角度に対応して、屈曲されている。そして、第１固定筒部４２Ａにおける上部の内部に、第１脚柱２２（第１下側脚柱２２Ｌ）の下端部が上側から挿入されている（図２及び図３参照）。
【００２７】
また、固定具本体４２は、後述する第１補強柱２６を固定するための第２固定筒部４２Ｂを有している。第２固定筒部４２Ｂは、左右方向を軸方向とする円筒状に形成されると共に、第１固定筒部４２Ａの下部から右側へ延出されている。
【００２８】
第１固定筒部４２Ａにおける上部の外周部には、一対のヒンジ部４２Ｃが一体に形成されている。ヒンジ部４２Ｃは、第１固定筒部４２Ａの上部の軸方向において離間して配置されると共に、第１固定筒部４２Ａから右側へ突出されている。また、第１固定筒部４２Ａの外周部には、一対のヒンジ部４２Ｃの間の位置において、連通孔４２Ｄが貫通形成されており、連通孔４２Ｄは、第１固定筒部４２Ａの上部の軸方向を長手方向とする略矩形状に形成されている。
【００２９】
また、図示は省略するが、第１固定筒部４２Ａにおける下部の内部には、キャスター４６の連結軸４６Ａが組付けられる組付部が形成されている。そして、キャスター４６が、第１固定筒部４２Ａの下端部に組付けられて、固定具本体４２の下側に配置されている。
【００３０】
バックル４４は、第１固定筒部４２Ａの上部の外側に配置されると共に、上側固定具３０のバックル３４と同様に構成されている。すなわち、バックル４４は、略矩形板状に形成されて、第１固定筒部４２Ａの周方向に沿うように湾曲している。バックル４４の基端側の部分には、支持部４４Ａが形成されており、支持部４４Ａには、支持孔４４Ｂが貫通形成されている。そして、支持部４４Ａが、第１固定筒部４２Ａにおける一対のヒンジ部４２Ｃの間に配置され、一対のヒンジ部４２Ｃに架け渡されたヒンジピン（図示省略）が支持孔４４Ｂ内に挿入されて、支持部４４Ａがヒンジ部４２Ｃに回転可能に支持されている。また、バックル４４の基端部には、圧接部４４Ｃが形成されており、圧接部４４Ｃは、第１固定筒部４２Ａの連通孔４２Ｄから第１固定筒部４２Ａの内部に配置されている。そして、バックル４４を第１固定筒部４２Ａ側へ回転させることで、圧接部４４Ｃが第１脚柱２２の下端部に圧接して、第１脚柱２２が固定具本体４２に固定されている。
【００３１】
＜第１補強柱について＞
図２に示されるように、第１補強柱２６は、左右方向を軸方向とする中空の円形パイプ状に形成されている。そして、第１補強柱２６の長手方向両端部が、下側固定具４０の第２固定筒部４２Ｂ内に嵌入されている。これにより、第１補強柱２６が、下側固定具４０によって第１脚柱２２に連結されている。
【００３２】
（第２フレームについて）
図２及び図３に示されるように、第２フレーム５０は、略矩形枠状に形成されて、側面視で、上側へ向かうに従い後側へ傾斜して配置されている。また、第２フレーム５０は、第１フレーム２０と同様に構成されているが、第２フレーム５０では、第１フレーム２０に比べて、幅方向の長さが若干短く設定されると共に、長手方向の長さが短く設定されている。
【００３３】
すなわち、第２フレーム５０は、第２フレーム５０の幅方向両端部を構成する左右一対の「脚柱」としての第２脚柱５２と、第２フレーム５０の上端部を構成する「第２の物干し部材」としての第２物干し柱５４と、第２フレーム５０の下端部を構成する「連結柱」としての第２補強柱５６と、を含んで構成されている。また、第２脚柱５２は、第１フレーム２０と同様に、第２上側脚柱５２Ｕと第２下側脚柱５２Ｌとを含んで構成されており、第２上側脚柱５２Ｕの下端部と第２下側脚柱５２Ｌの上端部とが、後述する連結具６０によって連結されている。
【００３４】
さらに、第１フレーム２０と同様に、第２脚柱５２の上端部と第２物干し柱５４の長手方向両端部とが、上側固定具３０によって連結されており、第２脚柱５２の下端部と第２補強柱５６の長手方向両端部とが、下側固定具４０によって連結されている。そして、第２下側脚柱５２Ｌの長手方向の長さが、第１フレーム２０の第１下側脚柱２２Ｌの長手方向の長さと一致しており、第２上側脚柱５２Ｕの長手方向の長さが、第１フレーム２０の第１上側脚柱２２Ｕの長手方向の長さよりも短く設定されている。これにより、物干し装置１０では、第２フレーム５０の第２物干し柱５４が、第１フレーム２０の第１物干し柱２４に対して、下側且つ後側に配置されている（図３参照）。そして、第２物干し柱５４が、洗濯物を物干しする部位として構成されている。
【００３５】
（連結具について）
左右一対の連結具６０は、物干し装置１０の幅方向において左右対称に構成されている。このため、以下、左側の連結具６０について説明して、右側の連結具６０についての説明は省略する。
【００３６】
図６及び図７に示されるように、連結具６０は、連結具６０における左側（物干し装置１０の幅方向外側）部分を構成する外側連結部材６２と、連結具６０における右側（物干し装置１０の幅方向内側）部分を構成する内側連結部材６４と、を含んで構成されている。
【００３７】
外側連結部材６２は、略円筒状を成す連結筒部６２Ａを有しており、連結筒部６２Ａは、第１フレーム２０の第１脚柱２２（図６及び図７では、不図示）と同軸上に配置されている。そして、第１脚柱２２の第１上側脚柱２２Ｕの下端部が連結筒部６２Ａ内に上側から嵌入され、第１脚柱２２の第１下側脚柱２２Ｌの上端部が連結筒部６２Ａ内に下側から嵌入されている。これにより、第１上側脚柱２２Ｕ及び第１下側脚柱２２Ｌが、外側連結部材６２によって連結されている。
また、連結筒部６２Ａの長手方向中央部には、左右方向に貫通された連結孔６２Ｂが形成されている。
【００３８】
外側連結部材６２の右端部には、連結片６２Ｃが設けられている。連結片６２Ｃは、左右方向を板厚方向とした略円環板状に形成されて、連結孔６２Ｂと同軸上に配置されている。この連結片６２Ｃの右面には、一対の規制突起６２Ｄが一体に形成されている。規制突起６２Ｄは、右側から見て、略扇形状に形成されて、連結片６２Ｃから右側へ突出されると共に、連結片６２Ｃの周方向に１８０度離間して配置されている。
【００３９】
内側連結部材６４は、連結筒部６４Ａを有しており、連結筒部６４Ａは、第２フレーム５０の第２脚柱５２（図６及び図７では、不図示）と同軸上に配置されている。そして、第２脚柱５２の第２上側脚柱５２Ｕの下端部が連結筒部６４Ａ内に上側から嵌入され、第２脚柱５２の第２下側脚柱５２Ｌの上端部が連結筒部６４Ａ内に下側から嵌入されている。これにより、第２上側脚柱５２Ｕ及び第２下側脚柱５２Ｌが、内側連結部材６４によって連結されている。
また、連結筒部６４Ａの長手方向中央部には、左右方向に貫通された連結孔６４Ｂが形成されており、連結孔６４Ｂは、外側連結部材６２の連結孔６２Ｂと同軸上に配置されている。
【００４０】
内側連結部材６４の左端部には、連結片６４Ｃが設けられている。連結片６４Ｃは、左右方向を板厚方向とした略円盤状に形成されて、連結孔６４Ｂと同軸上に配置されている。この連結片６４Ｃの左面には、一対の規制突起６４Ｄが一体に形成されている。規制突起６４Ｄは、左右方向から見て、略扇形状に形成されて、連結片６４Ｃから左側へ突出されると共に、連結片６４Ｃの周方向に１８０度離間して配置されている。
【００４１】
そして、外側連結部材６２の連結孔６２Ｂ内及び内側連結部材６４の連結孔６４Ｂ内に、図示しない連結ボルトが挿入されて、連結ボルトの先端部にナットが螺合されている。これにより、外側連結部材６２及び内側連結部材６４が回動可能に連結されている。すなわち、第１フレーム２０の第１脚柱２２の長手方向の中間部と第２フレーム５０の第２脚柱５２の長手方向中間部が、連結具６０によって相対回転可能に連結されている。これにより、物干し装置１０が、折畳状態から展開状態へ展開可能に構成されている（図２及び図３参照）。
また、物干し装置１０の展開状態では、外側連結部材６２の規制突起６２Ｄと内側連結部材６４の規制突起６４Ｄが互いに係合して、物干し装置１０が展開状態からさらに展開しない構成になっている。
【００４２】
（下側物干し部について）
図２、図３、図７、及び図８に示されるように、下側物干し部７０は、第２フレーム５０の下側部分に設けられている。具体的には、下側物干し部７０は、第２フレーム５０における連結具６０よりも下側に配置されると共に、第１フレーム２０の第１物干し柱２４の下側に配置されている。すなわち、第２フレーム５０の第２物干し柱５４が、上下方向において、第１物干し柱２４と下側物干し部７０との間に配置されると共に、第１物干し柱２４及び下側物干し部７０に対して後側に配置されている。
【００４３】
下側物干し部７０は、支持バー７２と、洗濯物を吊り下げるための複数（本実施の形態では、１０本）の物干しバー７４と、を含んで構成されている。
支持バー７２は、左右方向を軸方向とした丸棒状に形成されている。そして、支持バー７２の長手方向両端部が、第２フレーム５０の第２脚柱５２（第２下側脚柱５２Ｌ）に回転可能に支持されている。
【００４４】
物干しバー７４は、前後方向に延在された略丸棒状に形成されている。そして、物干しバー７４の後端部が支持バー７２に固定されて、物干しバー７４が支持バー７２から前側へ延出されている。すなわち、複数の物干しバー７４は、平面視で前後方向に延在されている。また、物干しバー７４は、左右方向において、所定の間隔を空けて並んで配置されている。
【００４５】
物干しバー７４の後端側の部分には、下側において、左右方向に延在された連結バー７６が設けられており、連結バー７６は、物干しバー７４に固定されている。さらに、物干しバー７４の下側には、左右一対のフックバー７８が設けられている。このフックバー７８は、平面視で前側へ開放された略Ｕ字形状に屈曲されると共に、側面視で略クランク状に屈曲されている。そして、フックバー７８の前端部が物干しバー７４に固定されており、フックバー７８の後端部が物干しバー７４に対して下側に離間して配置されている。
【００４６】
さらに、物干しバー７４の下側には、下側物干し部７０の回転を規制するための回転規制バー８０が設けられている。この回転規制バー８０は、後側へ開放された略Ｕ字形状に屈曲されており、回転規制バー８０の長手方向両端部が、第２フレーム５０の第２脚柱５２（第２下側脚柱５２Ｌ）に左右方向を軸方向として回転可能に支持されている。そして、回転規制バー８０の前端部が、フックバー７８の後端部と物干しバー７４との間に配置されて、連結バー７６に当接することで、回転規制バー８０と下側物干し部７０とが互いに係合して、下側物干し部７０の下側への回転が規制される構成になっている。
【００４７】
（フック保持具について）
次に、フック保持具９０について説明する。図１０及び図１１に示されるように、フック保持具９０は、第１フレーム２０の第１物干し柱２４及び第２フレーム５０の第２物干し柱５４に着脱可能に固定されて、ハンガーＨのフックＨＫを保持する器具として構成されている。これにより、ハンガーＨが、フック保持具９０によって第１物干し柱２４及び第２物干し柱５４から吊り下がるようになっている。以下、フック保持具９０の構成について説明する。
【００４８】
図１及び図１０に示されるように、フック保持具９０は、樹脂製とされると共に、全体として、側面視で下側へ開放された略Ｙ字形ブロック状に形成されている。フック保持具９０は、フック保持具９０の下部を構成する固定部９２と、フック保持具９０の上部を構成する保持部９４と、を含んで構成されている。
【００４９】
固定部９２は、側面視で、下側へ開放された略Ｃ字形状に形成されている。すなわち、固定部９２は、左右方向（つまり、第１物干し柱２４及び第２物干し柱５４の軸方向）に貫通された固定孔９２Ａを内部に有しており、固定孔９２Ａは、断面円形状を成すと共に、下側へ開放されている。固定孔９２Ａの直径寸法は、第１物干し柱２４及び第２物干し柱５４の直径寸法Ｄ１（図１（Ｃ）参照）と比べて僅かに小さく設定されている。
【００５０】
また、固定部９２は、固定部９２の外周部（具体的には、固定孔９２Ａの内周面の一部）を構成する前後一対のアーム部９２Ｂを有している。アーム部９２Ｂは、側面視で、固定孔９２Ａの周方向に沿って湾曲しており、前後方向に弾性変形可能に構成されている。
【００５１】
さらに、固定部９２の先端部（下端部）には、前後一対の差込ガイド部９２Ｃが設けられている。この差込ガイド部９２Ｃは、左右方向を軸方向とする円柱状に形成されて、アーム部９２Ｂの先端部に、それぞれ接続されている。これにより、一対の差込ガイド部９２Ｃが、固定孔９２Ａの開口端部を構成している。
【００５２】
差込ガイド部９２Ｃの直径寸法Ｄ２（図１（Ｃ）参照）は、アーム部９２Ｂの先端部における厚み寸法Ｔ（図１（Ｃ）参照）よりも大きく設定されている。さらに、前後方向における一対の差込ガイド部９２Ｃの距離Ｌ（図１（Ｃ）参照）が、第１物干し柱２４及び第２物干し柱５４の直径寸法Ｄ１よりも小さく設定されている。
【００５３】
そして、フック保持具９０を第１物干し柱２４（第２物干し柱５４）に固定するときには、固定部９２の開口部から第１物干し柱２４（第２物干し柱５４）を差し込んで、アーム部９２Ｂを弾性変形させつつ、第１物干し柱２４（第２物干し柱５４）を固定孔９２Ａ内に配置する。これにより、一対のアーム部９２Ｂが第１物干し柱２４（第２物干し柱５４）を前側及び後側から挟持して、フック保持具９０が第１物干し柱２４（第２物干し柱５４）に固定される構成になっている（図１（Ｃ）及び図１０参照）。
【００５４】
保持部９４は、固定部９２の上側に設けられている。保持部９４には、保持部９４の幅方向中央部において、「溝部」としての保持溝９６が形成されており、保持溝９６は、前後方向に貫通されると共に、正面視で上側へ開放された略Ｖ字形状に形成されている。すなわち、フック保持具９０が第１物干し柱２４及び第２物干し柱５４に固定された状態では、保持溝９６が、平面視で、下側物干し部７０の物干しバー７４と平行に配置されている。
【００５５】
また、保持溝９６は、保持溝９６の底部を構成する底面９６Ａと、保持溝９６の側部を構成する一対の側面９６Ｂと、を含んで構成されている。
保持溝９６の底面９６Ａは、上下方向に対して直交する面に沿って形成されており、底面９６Ａの幅寸法が、比較的小さく設定されている。
【００５６】
保持溝９６の側面９６Ｂは、側面９６Ｂの下部を構成する「第１側面」としての傾斜面９６Ｂ１と、側面９６Ｂの上部且つ保持溝９６の開口部を構成する「第２側面」としての規制面９６Ｂ２と、を含んで構成されている。
傾斜面９６Ｂ１は、正面視で、底面９６Ａの幅方向両端部から延出されると共に、上側へ向かうに従い保持溝９６の幅方向外側へ傾斜している。よって、保持溝９６の下部では、保持溝９６の幅寸法が、上側へ向かうに従い大きくなるように設定されている。
【００５７】
規制面９６Ｂ２は、傾斜面９６Ｂ１の上端から上側へ延出されている。すなわち、図１（Ｂ）に示さるように、正面視で、水平方向に沿った基準線ＳＬに対する規制面９６Ｂ２の傾斜角度Ａ１が、基準線ＳＬに対する傾斜面９６Ｂ１の傾斜角度Ａ２よりも大きく設定されている。具体的には、本実施の形態では、規制面９６Ｂ２の傾斜角度Ａ１が９０度に設定されており、規制面９６Ｂ２は、左右方向に対して直交する面に沿って形成されている。これにより、保持溝９６の上部では、保持溝９６の幅寸法が一定に設定されている。また、保持溝９６では、上下方向における規制面９６Ｂ２の高さ寸法Ｈ１が、傾斜面９６Ｂ１の高さ寸法Ｈ２よりも小さく設定されている。保持溝９６においては、上下方向における規制面９６Ｂ２の高さ寸法Ｈ１と、傾斜面９６Ｂ１の高さ寸法Ｈ２とが、同じ高さ寸法となる様に設定することも可能であり、また或いは、保持溝９６において、上下方向における規制面９６Ｂ２の高さ寸法Ｈ１が、傾斜面９６Ｂ１の高さ寸法Ｈ２よりも大きく設定してもよい。
【００５８】
そして、ハンガーＨのフックＨＫを、保持溝９６の内部に上側から挿入することで、ハンガーＨのフックＨＫが、保持溝９６の傾斜面９６Ｂ１に当接して、フックＨＫがフック保持具９０に保持されるようになっている（図１（Ａ）及び（Ｂ）参照）。これにより、ハンガーＨが第１物干し柱２４（第２物干し柱５４）から下側へ吊り下げられるようになっている。
【００５９】
（作用効果）
次に、本実施の形態の作用及び効果について説明する。
【００６０】
上記のように構成された物干し装置１０では、第１物干し柱２４及び第２物干し柱５４にフック保持具９０が固定されている。このフック保持具９０は、上側へ開放された保持溝９６を有しており、保持溝９６は、平面視で前後方向に延在されている。このため、衣紋掛け状のハンガーＨのフックＨＫをフック保持具９０の保持溝９６に掛けた状態では、ハンガーＨによって吊り下げられた衣類などの洗濯物が平行に配置される。
【００６１】
そして、図１１に示されるように、洗濯物を室内で干す場合では、洗濯物の乾燥時間を短くして洗濯物において部屋干し臭などの発生を抑制するために、サーキュレータや扇風機などの送風機Ｖによって生じる空気流を洗濯物にあてて選択物を乾燥させる場合がある。この場合、ハンガーＨに掛けられた洗濯物に当該空気流があたり、ハンガーＨのフックＨＫが、平面視で、図１（Ａ）の矢印Ａ方向に回転しよう（振れよう）とする。
【００６２】
ここで、本実施の形態のフック保持具９０では、保持溝９６の側面９６Ｂの下部が、傾斜面９６Ｂ１によって構成されており、傾斜面９６Ｂ１は、正面視で、保持溝９６の上側へ向かうに従い幅方向外側に傾斜している。このため、ハンガーＨのフックＨＫを保持溝９６に掛けたときには、フックＨＫの外周部が傾斜面９６Ｂ１に当接する。これにより、ハンガーＨのフックＨＫが、平面視で回転しようとすると、傾斜面９６Ｂ１の前端及び後端からフックＨＫに反力が作用して、フックＨＫの回転が抑制される。したがって、送風機Ｖからの空気流が洗濯物にあたっても、ハンガーＨの回転（振れ）を抑制することができる。
【００６３】
ところで、洗濯物の乾燥時間のより一層の短縮化を図るという観点からすると、送風機Ｖによって生じる空気流の流速を速くすることが望ましい。このとき、流速の速い空気流が洗濯物にあたり、ハンガーＨの回転力が大きくなると、洗濯物と共にハンガーＨが振れて、ハンガーＨのフックＨＫが保持溝９６の傾斜面９６Ｂ１に沿って上昇するようになる。このため、ハンガーＨのフックＨＫが、保持溝９６内から脱落する虞がある。
【００６４】
またここで、フック保持具９０では、保持溝９６の側面９６Ｂの上部が、規制面９６Ｂ２として構成されており、規制面９６Ｂ２は、傾斜面９６Ｂ１の上端から上側へ延出されている。すなわち、水平方向に沿った基準線ＳＬに対する規制面９６Ｂ２の傾斜角度Ａ１が、基準線ＳＬに対する傾斜面９６Ｂ１の傾斜角度Ａ２よりも大きくなる。このため、保持溝９６の傾斜面９６Ｂ１に沿って上昇するハンガーＨのフックＨＫが傾斜面９６Ｂ１よりも上側へ変位しようとすると、当該フックＨＫが、傾斜角の大きい規制面９６Ｂ２に当接する。これにより、保持溝９６の側面９６Ｂにおいて、規制面９６Ｂ２を仮に省略した構成と比べて、フックＨＫの上方側への変位を規制面９６Ｂ２によって抑制することができる。その結果、ハンガーＨのフックＨＫが保持溝９６内から脱落することを抑制できる。
以上により、本実施の形態のフック保持具９０によれば、ハンガーＨの回転を抑制しつつ、ハンガーＨのフック保持具９０からの脱落を抑制することができる。
【００６５】
また、フック保持具９０では、ハンガーＨのフックＨＫを掛ける保持溝９６が上側へ開放された溝として構成されている。このため、上下方向におけるフック保持具９０の体格の大型化を抑制しつつ、ハンガーＨのフック保持具９０からの脱落を抑制することができる。
すなわち、ハンガーＨのフック保持具９０からの脱落を抑制するという観点からすると、フック保持具９０の保持部９４において、保持溝９６の代わりに、前後方向に貫通された孔部を形成することが考えられる。この場合、保持部９４に形成される孔部が、正面視で上下方向を長手方向とする長孔状になる。このため、この場合には、上下方向におけるフック保持具９０の体格が大きくなる。
これに対して、本実施の形態のフック保持具９０では、保持溝９６が上側へ開放された溝として構成されている。このため、上記のような、保持部９４に孔部を形成する場合と比べて、上下方向におけるフック保持具９０の体格の大型化を抑制することができる。
【００６６】
また、フック保持具９０では、上下方向における規制面９６Ｂ２の高さ寸法Ｈ１が、傾斜面９６Ｂ１の高さ寸法Ｈ２よりも小さく設定されている。このため、上下方向におけるフック保持具９０の体格の大型化を一層抑制しつつ、ハンガーＨのフック保持具９０からの脱落を抑制することができる。
【００６７】
また、フック保持具９０では、固定部９２の先端部（下端部）に差込ガイド部９２Ｃが設けられており、差込ガイド部９２Ｃは、固定部９２のアーム部９２Ｂの先端部に接続されている。さらに、差込ガイド部９２Ｃは、左右方向を軸方向とした円柱状に形成されている。このため、フック保持具９０の固定孔９２Ａ内に第１物干し柱２４（第２物干し柱５４）を差し込むときに、第１物干し柱２４（第２物干し柱５４）が差込ガイド部９２Ｃによってガイドされながら固定孔９２Ａ内に挿入される。
しかも、差込ガイド部９２Ｃの直径寸法Ｄ２が、アーム部９２Ｂの先端部の厚み寸法Ｔよりも大きく設定されている。このため、固定部９２において、仮に差込ガイド部９２Ｃを省略した場合と比べて、側面視における固定部９２の先端部の半径を大きくすることができる。これにより、フック保持具９０の固定孔９２Ａ内に第１物干し柱２４（第２物干し柱５４）を差し込むときに、前後方向において固定孔９２Ａと第１物干し柱２４（第２物干し柱５４）との位置ずれが生じても、当該位置ずれを差込ガイド部９２Ｃによって吸収することができる。
以上により、フック保持具９０を第１物干し柱２４（第２物干し柱５４）に組付けるときの組付性を向上することができる。
【００６８】
また、フック保持具９０を有する物干し装置１０では、第１物干し柱２４の下側に下側物干し部７０が配置されており、第２物干し柱５４が、上下方向において第１物干し柱２４と下側物干し部７０との間に配置されると共に、第１物干し柱２４及び下側物干し部７０の後側に配置されている。さらに、下側物干し部７０の物干しバー７４が、フック保持具９０の保持溝９６の延在方向と平行に配置されている。このため、物干し装置１０に吊り下げられた洗濯物全体の乾燥時間の短縮化を図ることができる。以下、この点について比較例の物干し装置１００と比較して説明する。
【００６９】
図１２に示されように、比較例の物干し装置１００は、以下に示す点を除いて、本実施の形態の物干し装置１０と同様に構成されている。すなわち、物干し装置１００は、下側物干し部７０の物干しバー７４が、平面視で左右方向（すなわち、第１物干し柱２４及び第２物干し柱５４の軸方向に対して直交する方向）に延在されている。このため、比較例の物干し装置１００では、物干しバー７４に掛けられた洗濯物と、第１物干し柱２４及び第２物干し柱５４において、ハンガーＨなどによって掛けられた洗濯物と、が平面視で直交するように配置されるようになる。
【００７０】
また、物干し装置１００では、上下方向において、第１物干し柱２４及び第２物干し柱５４が、略一致する位置に配置されている。
【００７１】
そして、比較例の物干し装置１００に吊り下げられた洗濯物を、送風機Ｖによって生じる空気流をあてて乾燥させるときには、送風機Ｖによって送風される空気が、物干しバー７４に掛けられた洗濯物にあたり、空気流の後側へ流れが洗濯物によって遮断される（図１２の矢印を参照）。このため、第２物干し柱５４においてハンガーＨに掛けられた洗濯物に、送風機Ｖによって生じる空気流が到達することが抑制される。
【００７２】
また、比較例の物干し装置１００では、上下方向において、第１物干し柱２４及び第２物干し柱５４が、略一致する位置に配置されているため、送風機Ｖによって送風される空気が、第１物干し柱２４に掛けられた洗濯物にあたり、空気流の後側へ流れが洗濯物によって遮断される。このため、上述と同様に、第２物干し柱５４においてハンガーＨに掛けられた洗濯物に、送風機Ｖによって生じる空気流が到達することが抑制される。
したがって、物干し装置１００において吊り下げられた洗濯物全体の乾燥時間が比較的長くなる傾向になる。
【００７３】
これに対して、本実施の形態の物干し装置１０では、上述のように、下側物干し部７０の物干しバー７４が、平面視で前後方向に延在されて、フック保持具９０の保持溝９６の延在方向と一致している。このため、下側物干し部７０の物干しバー７４に掛けられた洗濯物と、第１物干し柱２４及び第２物干し柱５４においてハンガーＨによって吊り下げられた洗濯物と、が平面視で平行に配置されるようになる。これにより、図１１に示されるように、送風機Ｖによって生じる空気流が、物干しバー７４に掛けられた洗濯物の間を通過して、第２物干し柱５４においてハンガーＨに掛けられた洗濯物の間を良好に通過する（図１１の矢印を参照）。
【００７４】
また、本実施の形態の物干し装置１０では、上下方向において、第２物干し柱５４が、第１物干し柱２４と下側物干し部７０との間に配置されている。このため、送風機Ｖによって送風される空気が、第１物干し柱２４においてハンガーＨに掛けられた洗濯物と下側物干し部７０との間を通過して、第２物干し柱５４においてハンガーＨに掛けられた洗濯物に良好に到達する。したがって、本実施の形態の物干し装置１０によれば、送風機Ｖからの空気流が、物干し装置１０において吊り下げられた洗濯物全体に行き渡るようになる。したがって、洗濯物全体の乾燥時間の短縮化を図ることができる。
【００７５】
また、下側物干し部７０は、第２フレーム５０に設けられると共に、第１フレーム２０及び第２フレーム５０を連結する連結具６０よりも下側に配置されている。このため、例えば、上下方向において、下側物干し部７０を連結具６０と同じ位置又は連結具６０よりも上側の位置に配置する構成と比べて、物干し装置１０の重心を下側に設定できる。これにより、展開状態における物干し装置１０の姿勢の安定化を図ることができる。特に、送風機Ｖによって流速の速い空気流を洗濯物にあてる場合の、物干し装置１０の姿勢の安定化を図ることができる。
【００７６】
また、第１脚柱２２（第２脚柱５２）の下端部と第１補強柱２６（第２補強柱５６）の長手方向両端部とが、下側固定具４０によって連結されている。また、下側固定具４０は、固定具本体４２に回転可能に支持されたバックル４４を有しており、バックル４４を回転操作することで、バックル４４が第１脚柱２２（第２脚柱５２）を圧接して、第１脚柱２２（第２脚柱５２）が下側固定具４０に固定される。このため、物干し装置１０を組み立てるときの組立性を向上することができる。
【００７７】
また、第１脚柱２２（第２脚柱５２）の上端部と第１物干し柱２４（第２物干し柱５４）の長手方向両端部とが、上側固定具３０によって連結されている。また、上側固定具３０は、固定具本体３２に回転可能に支持されたバックル３４を有しており、バックル３４を回転操作することで、バックル３４が第１脚柱２２（第２脚柱５２）を圧接して、第１脚柱２２（第２脚柱５２）が上側固定具３０に固定される。このため、上述と同様に、物干し装置１０を組み立てるときの組立性を向上することができる。
【００７８】
また、下側固定具４０の固定具本体４２には、キャスター４６が設けられており、第１フレーム２０及び第２フレーム５０がキャスター４６によって支持されている。このため、物干し装置１０の位置を容易に変更することができる。これにより、物干し装置１０の利便性を向上することができる。
【００７９】
なお、本実施の形態では、フック保持具９０の規制面９６Ｂ２の傾斜角度Ａ１が９０度に設定されているが、規制面９６Ｂ２の傾斜角度Ａ１は、これに限らない。例えば、規制面９６Ｂ２の傾斜角度Ａ１を、傾斜面９６Ｂ１の傾斜角度Ａ２より大きくし、且つ９０度以下に設定してもよい。あるいは、規制面９６Ｂ２の傾斜角度Ａ１を、ハンガーが出し入れできる程度で、傾斜面９６Ｂ１の傾斜角度Ａ２より大きく、且つ、９０度以上に設定してもよい。
【００８０】
また、本実施の形態では、フック保持具９０に掛けられるハンガーＨが、衣紋掛け状のハンガーとして説明したが、複数の洗濯バサミを有する、所謂ピンチハンガーのフックをフック保持具９０に掛けてもよい。
【符号の説明】
【００８１】
１０          物干し装置
２０          第１フレーム
２２          第１脚柱（脚柱）
２４          第１物干し柱（第１の物干し部材）
２６          第１補強柱（連結柱）
４０          下側固定具
４２          固定具本体
４４          バックル
４６          キャスター
５０          第２フレーム
５２          第２脚柱（脚柱）
５４          第２物干し柱（第２の物干し部材）
５６          第２補強柱（連結柱）
６０          連結具
７０          下側物干し部
７４          物干しバー
９０          ハンガー用フック保持具
９２          固定部
９２Ｂ        アーム部
９２Ｃ        差込ガイド部
９４          保持部
９６          保持溝（溝部）
９６Ｂ        側面
９６Ｂ１      傾斜面（第１側面）
９６Ｂ２      規制面（第２側面）
Ｄ２          差込ガイド部の直径寸法
Ｈ１          第２側面の高さ寸法
Ｈ２          第１側面の高さ寸法
Ｔ            アーム部の先端部における厚み寸法
【図１】
0003216154.tif 000003
【図２】
0003216154.tif 000004
【図３】
0003216154.tif 000005
【図４】
0003216154.tif 000006
【図５】
0003216154.tif 000007
【図６】
0003216154.tif 000008
【図７】
0003216154.tif 000009
【図８】
0003216154.tif 000010
【図９】
0003216154.tif 000011
【図１０】
0003216154.tif 000012
【図１１】
0003216154.tif 000013
【図１２】
0003216154.tif 000014